(57)【要約】【課題】簡便な構成で安定した送受信性能を発揮し得る電動ロールブラインドを提供する。【解決手段】フレームの両端部に取着した支持ブラケット間に巻取軸を回転可能に支持し、巻取軸からスクリーンを垂下し、一方の支持ブラケット２には前記巻取軸を回転駆動するモータと、１つの受光素子１１を備えた受信機８を設け、送信機から出力される操作信号を受光素子１１で受信して、巻取軸をモータで回転駆動する電動ロールブラインドにおいて、受信機８のケース９を、支持ブラケット２に対し回動可能に支持して、受光素子１１の受信方向を調整可能とした。【選択図】図４
0003132143.tif 000002
【実用新案登録請求の範囲】
【請求項１】
フレームの両端部に取着した支持ブラケット間に巻取軸を回転可能に支持し、前記巻取軸からスクリーンを垂下し、一方の支持ブラケットには前記巻取軸を回転駆動するモータと、１つの受光素子を備えた受信機を設け、送信機から出力される操作信号を前記受光素子で受信して、前記巻取軸をモータで回転駆動する電動ロールブラインドにおいて、
前記受信機のケースを、前記支持ブラケットに対し回動可能に支持して、前記受光素子の受信方向を調整可能としたことを特徴とする電動ロールブラインド。
【請求項２】
前記ケースを２本のネジで前記支持ブラケットに取着し、一方のネジを取り外し、他方のネジを緩めて前記ケースを支持ブラケットに対し回動可能としたことを特徴とする請求項１記載の電動ロールブラインド。
【請求項３】
前記ケースの中央部を１本のネジで前記支持ブラケットに取着し、前記ネジを緩めて前記ケースを支持ブラケットに対し回動可能としたことを特徴とする請求項１記載の電動ロールブラインド。
【請求項４】
前記ケースの中央部を１本の支軸で前記支持ブラケットに回動可能に支持し、前記ケースと支持ブラケットには前記ケースを支持ブラケットに保持する保持手段を設けたことを特徴とする請求項１記載の電動ロールブラインド。
【請求項５】
前記保持手段は、
前記ケースを前記支軸の軸方向に沿って前記支持ブラケットに押圧するコイルスプリングと、
前記ケースと支持ブラケットの対向面の一方に設けた凹凸部と、他方に設けられて該凹凸部に係合する突部と
を備えたことを特徴とする請求項４記載の電動ロールブラインド。
【考案の詳細な説明】
【技術分野】
【０００１】
この考案は、遠隔操作装置を備えた電動ロールブラインドに関するものである。
【背景技術】
【０００２】
電動ロールブラインドの一種類として、操作信号を送信する送信機と、スクリーンの巻取軸を支持するフレームに取着された受信機からなる遠隔操作装置を使用してスクリーンを昇降可能としたものがある。
【０００３】
このような電動ロールブラインドでは、スクリーンの巻取軸を支持するフレームの端部にモータ制御部を備えた受信機が取着され、居住者が操作する送信機から例えば赤外線信号を発信し、その赤外線信号を受信機で受信し、その受信信号に基づいてモータが駆動される。そして、モータの作動により巻取軸が回転駆動されて、スクリーンが昇降されるようになっている。
【特許文献１】特開昭６２−２３３６３５号公報
【考案の開示】
【考案が解決しようとする課題】
【０００４】
上記のような電動ロールブラインドでは、通常フレームが窓上部の壁面等の垂直面あるいは天井面等の水平面に固定され、そのフレームに受信機が固定されている。そして、受信機に受光素子が固定されている。
【０００５】
すると、フレームを垂直面に固定した場合、受光素子は水平方向に向かって位置し、フレームを水平面に向かって固定した場合、受光素子は真下に向かって位置することになる。このような状況では、受光素子及び送信機の指向性により、受光素子が水平方向に向かって位置する場合には、送信機から出力する赤外線信号を受光素子と同一高さから水平方向に発信すると、その発信信号を受光素子で安定して受信可能となる。
【０００６】
また、受光素子が垂直方向に向かって位置する場合には、送信機から出力する赤外線信号を受光素子の真下から上方に発信すると、その赤外線信号を受光素子で安定して受信可能となる。
【０００７】
ところが、送信機を操作する居住者は、通常受信機の斜め下方に位置するため、フレームを水平面に固定した場合及び垂直面に固定した場合のいずれの場合にも、送信機から発信される赤外線信号を受光素子で安定して受信することができないという問題点がある。
【０００８】
特許文献１には、複数の受光素子でリモコンの位置を検出し、受光素子の設置角度を調節可能としたリモコン位置検出装置が開示されている。しかし、単一の受光素子とモータ制御部とを一体に備えた受信機をフレームの端部に備え、簡便な構成で安定した送受信性能を発揮し得る電動ブラインドの遠隔操作装置については開示されていない。
【０００９】
この考案の目的は、簡便な構成で安定した送受信性能を発揮し得る電動ロールブラインドを提供することにある。
【課題を解決するための手段】
【００１０】
請求項１では、フレームの両端部に取着した支持ブラケット間に巻取軸を回転可能に支持し、前記巻取軸からスクリーンを垂下し、一方の支持ブラケットに前記巻取軸を回転駆動するモータを設け、前記支持ブラケットには１つの受光素子を備えた受信機を備え、送信機から出力される操作信号を前記受光素子で受信して、前記モータを駆動する電動ロールブラインドにおいて、前記受信機のケースを、前記支持ブラケットに対し回動可能に支持して、前記受光素子の受信方向を調整可能とした。
【００１１】
請求項２では、前記ケースを２本のネジで前記支持ブラケットに取着し、一方のネジを取り外し、他方のネジを緩めて前記ケースを支持ブラケットに対し回動可能とした。
請求項３では、前記ケースの中央部を１本のネジで前記支持ブラケットに取着し、前記ネジを緩めて前記ケースを支持ブラケットに対し回動可能とした。
【００１２】
請求項４では、前記ケースの中央部を１本の支軸で前記支持ブラケットに回動可能に支持し、前記ケースと支持ブラケットには前記ケースを支持ブラケットに保持する保持手段を設けた。
【００１３】
請求項５では、前記保持手段は、前記ケースを前記支軸の軸方向に沿って前記支持ブラケットに押圧するコイルスプリングと、前記ケースと支持ブラケットの対向面の一方に設けた凹凸部と、他方に設けられて該凹凸部に係合する突部とを備えた。
【考案の効果】
【００１４】
本考案によれば、簡便な構成で安定した送受信性能を発揮し得る電動ロールブラインドを提供することができる。
【考案を実施するための最良の形態】
【００１５】
以下、この考案を具体化した一実施の形態を図面に従って説明する。図１に示す電動ロールブラインドはフレーム１の両端部に支持ブラケット２が取着され、その支持ブラケット２間に巻取軸３が回転可能に支持されている。
【００１６】
前記巻取軸３からスクリーン４が垂下され、そのスクリーン４の下端にはウェイトバー５が取着されている。そして、巻取軸３が回転されると、スクリーン４が巻取軸３に巻き取られてウェイトバー５が引き上げられ、あるいはスクリーン４が巻取軸３から巻戻されて、ウェイトバー５が下降する。
【００１７】
一方の支持ブラケット２には巻取軸３を回転駆動するモータ６が収容され、そのモータ６の出力軸７が巻取軸３の端部に嵌合されている。前記フレーム１の端部にはモータ６を駆動する制御部（図示しない）が収容されている。そして、制御部の動作によりモータ６が作動すると、巻取軸３が正逆回転されるようになっている。
【００１８】
前記モータ６の下方すなわち前記支持ブラケット２の先端側には受信機８が取着されている。その受信機８は、図２及び図３に示すように、ケース９の前後方向両端部がネジ１０ａ，１０ｂで支持ブラケット２に固定され、そのケース９内に受光素子１１を備えた回路基板１２が固定されている。その回路基板１２の出力信号は配線（図示しない）を介して前記制御部に出力される。また、ケース９は送信機１３から出力される赤外線信号を透過可能とした合成樹脂で形成され、その底辺は円弧状に形成されている。
【００１９】
そして、図４に示す送信機１３から送信される操作信号を受光素子１１で受信すると、回路基板１２から出力される出力信号により前記制御部を介して前記モータ６が作動して巻取軸３が回転されるようになっている。
【００２０】
また、図２及び図３に示すように、ケース９をネジ１０ａ，１０ｂで支持ブラケット２に固定した状態では、受光素子１１は真下に向かって位置している。一方、一方のネジ１０ａを外し、他方のネジ１０ｂを緩めると、図４に示すように、ネジ１０ｂを回動支点としてケース９を回動可能となっている。また、前記回路基板１２と制御部を接続する配線は、ケース９の回動を阻害しない十分な長さが確保されている。
【００２１】
このように構成された電動ロールブラインドでは、図２及び図３に示すように、フレーム１を天井面等の水平面に取着すると、受光素子１１は真下に向かって位置している。この場合には、ネジ１０ａを外し、ネジ１０ｂを緩めて、図４に示すように、ネジ１０ｂを回動支点としてケース９を回動させ、ケース９を所望角度まで回動させた後、ネジ１０ｂを締めてケース９を固定する。
【００２２】
すると、受光素子１１は室内側へ斜め下方に向かって位置する状態となり、この状態で室内から居住者が送信機１３を操作すると、受光素子１１は斜め下方から送信される送信信号を受信しやすい状態となる。
【００２３】
また、図５に示すように、フレーム１を窓上部の壁面等の垂直面に取着すると、受光素子１１は水平方向に向かって位置している。この場合には、ネジ１０ｂを外し、ネジ１０ａを緩めて、図６に示すように、ネジ１０ａを回動支点としてケース９を回動させ、ケース９を所望角度まで回動させた後、ネジ１０ａを締めてケース９を固定する。
【００２４】
すると、受光素子１１は室内側へ斜め下方に向かって位置する状態となり、この状態で室内から居住者が送信機１３を操作すると、受光素子１１は斜め下方から送信される送信信号を受信しやすい状態となる。
【００２５】
上記のように構成された電動ロールブラインドでは、次に示す作用効果を得ることができる。
（１）受光素子１１を備えた受信機８のケース９を支持ブラケット２に対し回動させて、受光素子１１を室内側へ斜め下方に向かって位置させることができる。従って、送信機１３から出力される送信信号を受信素子１１で安定して受信することができる。
（２）送信信号を受信素子１１で安定して受信することができるので、スクリーン４の昇降操作を円滑に行うことができる。
（３）受信機８のケース９の前後方向両端部を２本のネジ１０ａ，１０ｂで支持ブラケット２に取着したので、その一方のネジを取り外し、他方のネジを緩めることにより、ケース９を支持ブラケット２に対し容易に回動させることができる。
（第二の実施の形態）
図７〜図１１は、第二の実施の形態を示す。この実施の形態は、受信機８を収容するケースの中心を一本のネジで回転可能に支持したものであり、その他の構成は前記第一の実施の形態と同様である。
【００２６】
図７及び図８に示すように、受信機８を収容するケース１４は、断面Ｌ型に形成されるとともに、側辺１５が円形に形成され、底辺１６は側辺１５に沿って円弧状に形成されている。そして、前記側辺１５の中心がネジ１７で支持ブラケット２に固定され、ネジ１７を緩めると、ケース１４は支持ブラケット２に対し回動可能である。
【００２７】
前記ケース１４には受光素子１１を備えた回路基板１２が取着され、その回路基板１２が水平方向となると受光素子１１は下方に向かって位置する。また、ケース１４の側辺１５の外周部において、中心に対し底辺１６の反対側位置には、ケース１４の回動時にクリック感を生成するための凹凸部１８が形成され、その凹凸部１８に噛み合う突部１９が支持ブラケット２に形成されている。
【００２８】
このように構成された電動ロールブラインドでは、図７及び図８に示すように、フレーム１を天井面等の水平面に取着したとき、受光素子１１が真下に向かって位置していれば、ネジ１７を緩めて、図９に示すように、ケース１４を回動させ、ケース１５を所望角度まで回動させた後、ネジ１７を締めてケース１４を固定する。
【００２９】
すると、受光素子１１は室内側へ斜め下方に向かって位置する状態となり、この状態で室内から居住者が送信機１３を操作すると、受光素子１１は斜め下方から送信される送信信号を受信しやすい状態となる。
【００３０】
また、図１０に示すように、フレーム１を窓上部の壁面等の垂直面に取着したとき、受光素子１１が水平方向に向かって位置していれば、ネジ１７を緩めて、図１１に示すように、ネジ１７を回動支点としてケース１４を回動させ、ケース１４を所望角度まで回動させた後、ネジ１７を締めてケース１４を固定する。
【００３１】
すると、受光素子１１は室内側へ斜め下方に向かって位置する状態となり、この状態で室内から居住者が送信機１３を操作すると、受光素子１１は斜め下方から送信される送信信号を受信しやすい状態となる。
【００３２】
この実施の形態の電動ロールブラインドでは、前記第一の実施の形態の（１）（２）で得られた作用効果に加えて、次に示す作用効果を得ることができる。
（１）一本のネジ１７を緩めることによりケース１４を容易に回動させることができる。
（第三の実施の形態）
図１２〜図１５は、第三の実施の形態を示す。この実施の形態は、受信機８を収容するケースを一本の軸で回転可能に支持し、ネジを緩める作業を必要とすることなく、ケースを回転可能としたものである。その他の構成は前記第一の実施の形態と同様である。
【００３３】
図１２及び図１５に示すように、受信機８のケース２０内には受光素子１１及び回路基板１２が収容され、そのケース２０の上部中央には筒部２１が形成されている。前記筒部２１には支持ブラケット２の側面に支持された支軸２２の軸部２２ａが挿通され、その軸部２２ａは筒部２１の内径より小さい径で形成されている。従って、ケース２０は支軸２２に回動可能に支持され、かつ軸部２２ａに対しその軸方向に相対移動可能となっている。
【００３４】
前記軸部２２ａの先端部にはネジが刻設され、そのネジにネジ付座金２３が螺合され、そのネジ付座金２３と軸部２２ａの基端側のケース２０内側面との間にはコイルスプリング２４が配設されている。そして、ネジ付座金２３を支点とするコイルスプリング２４の伸び方向の付勢力により、ケース２０が支持ブラケット２に向かって押圧されている。
【００３５】
前記軸部２２ａの上方において、ケース２０と支持ブラケット２の対向面には、ケース２０と支持ブラケット２の軸部２２の径方向の相対位置を規定する係合部２５が形成されている。
【００３６】
また、支持ブラケット２の下端部にはケース２０に向かって突出するガイド片２６が形成され、ケース２０にはそのガイド片２６を挿通可能とした案内溝２７が形成されている。案内溝２７は筒部２１を中心として円弧状に形成されている。従って、支軸２２を支点としてケース２０を回動させると、ガイド片２６が案内溝２７内を相対的に移動し、ケース２０がガイド片２６に支持されながら回動するようになっている。
【００３７】
前記ケース２０の底面は円弧状に形成され、ケース２０の両側端部には同ケース２０を回動操作するための指掛け３０が形成されている。また、ケース２０内には受信機８を構成する受光素子１１及び制御基板１２が取着されている。
【００３８】
前記筒部２１の下方において、前記ケースに対向する支持ブラケット２の側面には支軸２０を中心として３０度間隔で凹凸部２８が形成され、その凹凸部２８に係合する突部２９がケース２０に形成されている。従って、前記コイルスプリング２４の付勢力により、凹凸部２８が係合部２５に係合していると、ケース２０は回動不能に保持される。また、図１４に示すように、コイルスプリング２４の付勢力に抗して、ケース２０を支持ブラケット２から遠ざかる方向にスライドさせれば、ケース２０を支持ブラケット２に対し回動可能となっている。
【００３９】
このように構成された電動ロールブラインドでは、図１２に示すように、フレーム１を天井面等の水平面に取着したとき、受光素子１１が真下に向かって位置していれば、図１４に示すように、ケース２０をスライドさせ、さらに図１５に示すようにケース１５を回動させた後、ケース２０を手放せば、受光素子１１が室内側へ斜め下方に向かって位置する状態でケース２０が支持ブラケット２に保持される。
【００４０】
この状態で室内から居住者が送信機１３を操作すると、受光素子１１は斜め下方から送信される送信信号を受信しやすい状態となる。
また、フレーム１を窓上部の壁面等の垂直面に取着したとき、受光素子１１が水平方向に向かって位置していれば、同様にしてケース２０を回動させれば、受光素子１１は斜め下方から送信される送信信号を受信しやすい状態となる。
【００４１】
この実施の形態の電動ロールブラインドでは、前記第一の実施の形態の（１）（２）で得られた作用効果に加えて、次に示す作用効果を得ることができる。
（１）ネジを緩める作業を必要とすることなく、コイルスプリング２４の付勢力に抗してケース２０を支軸２２に沿ってスライドさせれば、ケース２０を容易に回動させることができる。また、ケース２０の回動後にそのケース２０を手放せば、コイルスプリング２４の付勢力により凹凸部２８と突部２９が係合して、ケース２０は支持ブラケット２に対し保持される。
【００４２】
上記実施の形態は、以下の態様で実施してもよい。
・モータは、支持ブラケット２以外に、フレーム１に取着したり、あるいは巻取軸３内に収容してもよい。この場合には、モータの出力を巻取軸に伝達するギヤ機構等が必要となる。
【図面の簡単な説明】
【００４３】
【図１】第一の実施の形態の電動ロールブラインドのフレームの端部を示す断面図である。
【図２】電動ロールブラインドを示す側面図である。
【図３】支持ブラケットを示す側面図である。
【図４】ケースを回動させた状態を示す断面図である。
【図５】垂直面に取着した支持ブラケットを示す側面図である。
【図６】ケースを回動させた状態を示す断面図である。
【図７】第二の実施の形態を示す側面図である。
【図８】第二の実施の形態のケースを示す断面図である。
【図９】ケースを回動させた状態を示す側面図である。
【図１０】垂直面に取着して支持ブラケットを示す側面図である。
【図１１】ケースを回動させた状態を示す側面図である。
【図１２】第三の実施の形態を示す側面図である。
【図１３】第三の実施の形態のケースを示す断面図である。
【図１４】ケースをスライドさせた状態示す断面図である。
【図１５】ケースを回動させた状態を示す断面図である。
【符号の説明】
【００４４】
１…フレーム、２…支持ブラケット、３…巻取軸、６…モータ、８…受信機、９，１４，２０…ケース、１１…受光素子、１２…回路基板、１３…送信機。
【図１】
0003132143.tif 000003
【図２】
0003132143.tif 000004
【図３】
0003132143.tif 000005
【図４】
0003132143.tif 000006
【図５】
0003132143.tif 000007
【図６】
0003132143.tif 000008
【図７】
0003132143.tif 000009
【図８】
0003132143.tif 000010
【図９】
0003132143.tif 000011
【図１０】
0003132143.tif 000012
【図１１】
0003132143.tif 000013
【図１２】
0003132143.tif 000014
【図１３】
0003132143.tif 000015
【図１４】
0003132143.tif 000016
【図１５】
0003132143.tif 000017